(57)【要約】  【課題】  貯湯タンク内の水張り作業を自動的に行なうことにより、施工者の作業の負担や拘束時間等を軽減すると共に、施工者のスキルによる施工ミス等を軽減すること。  【解決手段】  水充填開始スイッチ３１を押圧すると、制御装置Ｓ１は第２混合弁１８を貯湯タンク８上部から流れる経路を極力開くように制御し、開閉弁２４、２５を開くように制御する。これにより、ほとんど貯湯タンク８上部からの水が第２混合弁１８、水々熱交換器１１の二次流路１１Ｂを介して浴槽１４に供給されると共に、同じく第２混合弁１８、停止している循環ポンプ１３を介して浴槽１４に供給される。従って、水道圧減圧弁１９によって設定された水道圧によって貯湯タンク８内のエアが押し出されて、浴槽１４内に放出されると共に給水管２１からの水道水が貯湯タンク８に充填されると、今度は水が浴槽１４に放出される。  【選択図】  図１
2006145048.tif 000002
【特許請求の範囲】
【請求項１】
加熱源により加熱された温水を貯湯する貯湯タンクに接続された配管を介して温水を給湯するようにした貯湯式温水器において、前記貯湯タンク内に水張りを行なうに際して操作される操作手段と、前記貯湯タンクに接続された前記配管内にこの貯湯タンクからの水を流すための開閉弁と、この開閉弁が開くことにより前記配管内に水が流れたことを検出する検出センサと、前記操作手段が操作された際に前記開閉弁を開くように制御すると共に開いてから一定時間内に前記配管内に一定量の水が流れたことを前記検出センサが検出した場合には前記開閉弁を閉じるように制御する制御装置を設けたことを特徴とする貯湯式温水器。
【請求項２】
加熱源により加熱された温水を貯湯する貯湯タンクに接続された配管を介して温水を給湯するようにした貯湯式温水器において、前記貯湯タンク内に水張りを行なうに際して操作される操作手段と、前記貯湯タンクに接続された前記配管内にこの貯湯タンクからの水を流すための開閉弁と、この開閉弁が開くことにより前記配管内に水が流れたことを検出する検出センサと、水張りが終了した旨を表示する表示部と、前記操作手段が操作された際に前記開閉弁を開くように制御し開いてから一定時間内に前記配管内に一定量の水が流れたことを前記検出センサが検出した場合には前記開閉弁を閉じるように制御すると共に前記表示部に水張りが終了した旨を表示するように制御する制御装置を設けたことを特徴とする貯湯式温水器。
【請求項３】
加熱源により加熱された温水を貯湯する貯湯タンクに接続された配管を介して温水を給湯するようにした貯湯式温水器において、前記貯湯タンク内に水張りを行なうに際して操作される操作手段と、前記貯湯タンクに接続された前記配管内にこの貯湯タンクからの水を流すための開閉弁と、この開閉弁が開くことにより前記配管内に水が流れたことを検出する検出センサと、水張りが異常である旨を表示する表示部と、前記操作手段が操作された際に前記開閉弁を開くように制御して開いてから一定時間内に前記配管内に一定量の水が流れたことを前記検出センサが検出しない場合には前記開閉弁を閉じるように制御すると共に前記表示部に水張りが異常である旨を表示するように制御する制御装置を設けたことを特徴とする貯湯式温水器。
【請求項４】
前記配管に水を流すための前記開閉弁は、浴槽の湯張りをする配管や、給湯用配管に設けられた開閉弁であることを特徴とする請求項１乃至３のいずれかに記載の貯湯式温水器。
【請求項５】
前記配管に水が流れたことを検出する前記検出センサは、浴槽の湯張りをする配管や、給湯用配管に備え付けられた流量センサであることを特徴とする請求項１乃至３のいずれかに記載の貯湯式温水器。
【請求項６】
前記操作手段は水張り開始スイッチであることを特徴とする請求項１乃至３のいずれかに記載の貯湯式温水器。
【請求項７】
前記操作手段は電源投入スイッチであることを特徴とする請求項１乃至３のいずれかに記載の貯湯式温水器。
【請求項８】
前記貯湯タンク内の水張り中にこの貯湯タンクに接続されている配管のエア抜きをその配管上に接続されているポンプを動作させるように前記制御装置が制御することを特徴とする請求項１乃至３のいずれかに記載の貯湯式温水器。
【請求項９】
前記操作手段が操作されて水張りが開始された際に、前記貯湯タンクへの市水による水の供給の有無を判断するための判断手段を設けたことを特徴とする請求項１乃至３のいずれかに記載の貯湯式温水器。
【発明の詳細な説明】
【技術分野】
【０００１】
本発明は、加熱源により加熱された温水を貯湯する貯湯タンクに接続された配管を介して温水を給湯するようにした貯湯式温水器に関する。
【背景技術】
【０００２】
特許文献１にて開示されているヒートポンプ式給湯装置や電気温水器のような貯湯式温水器においては、最初の施工時など、貯湯タンク内に水が全くない状態の時は、施工者が貯湯タンク内にあらかじめ水を充填させる必要がある。このときの方法として、従来は貯湯タンク上部に付けられている圧力逃がし弁を手動で開放し、貯湯タンク下部に接続されている市水管（水道管）を介して水道圧によって貯湯タンク内に水道水を供給しながら貯湯タンク内のエア（空気）を前記圧力逃し弁より放出することで貯湯タンク内に水張りを行っていた。
【特許文献１】特開２００４−２００２１号公報
【発明の開示】
【発明が解決しようとする課題】
【０００３】
このとき、貯湯タンク内に水が充填されたことを確認する方法は、貯湯タンク上部の圧力逃がし弁から水が出てくるのを確認することで行ない、水張り完了後は貯湯タンク上部の圧力逃がし弁を手動で閉めなければならなかった。従って、施工者はいつ貯湯タンクの上部から水が出てくるのがわからないので、貯湯タンク内の水張り完了するまでその場に拘束され、さらにその後、圧力逃がし弁を閉める作業が必要であった。
【０００４】
そこで本発明は、貯湯タンク内の水張り作業を自動的に行なうことにより、施工者の作業の負担や拘束時間等を軽減すると共に、施工者のスキルによる施工ミス等を軽減することを目的とする。
【課題を解決するための手段】
【０００５】
このため第１の発明は、加熱源により加熱された温水を貯湯する貯湯タンクに接続された配管を介して温水を給湯するようにした貯湯式温水器において、前記貯湯タンク内に水張りを行なうに際して操作される操作手段と、前記貯湯タンクに接続された前記配管内にこの貯湯タンクからの水を流すための開閉弁と、この開閉弁が開くことにより前記配管内に水が流れたことを検出する検出センサと、前記操作手段が操作された際に前記開閉弁を開くように制御すると共に開いてから一定時間内に前記配管内に一定量の水が流れたことを前記検出センサが検出した場合には前記開閉弁を閉じるように制御する制御装置を設けたことを特徴とする。
【０００６】
第２の発明は、加熱源により加熱された温水を貯湯する貯湯タンクに接続された配管を介して温水を給湯するようにした貯湯式温水器において、前記貯湯タンク内に水張りを行なうに際して操作される操作手段と、前記貯湯タンクに接続された前記配管内にこの貯湯タンクからの水を流すための開閉弁と、この開閉弁が開くことにより前記配管内に水が流れたことを検出する検出センサと、水張りが終了した旨を表示する表示部と、前記操作手段が操作された際に前記開閉弁を開くように制御し開いてから一定時間内に前記配管内に一定量の水が流れたことを前記検出センサが検出した場合には前記開閉弁を閉じるように制御すると共に前記表示部に水張りが終了した旨を表示するように制御する制御装置を設けたことを特徴とする。
【０００７】
第３の発明は、加熱源により加熱された温水を貯湯する貯湯タンクに接続された配管を介して温水を給湯するようにした貯湯式温水器において、前記貯湯タンク内に水張りを行なうに際して操作される操作手段と、前記貯湯タンクに接続された前記配管内にこの貯湯タンクからの水を流すための開閉弁と、この開閉弁が開くことにより前記配管内に水が流れたことを検出する検出センサと、水張りが異常である旨を表示する表示部と、前記操作手段が操作された際に前記開閉弁を開くように制御して開いてから一定時間内に前記配管内に一定量の水が流れたことを前記検出センサが検出しない場合には前記開閉弁を閉じるように制御すると共に前記表示部に水張りが異常である旨を表示するように制御する制御装置を設けたことを特徴とする。
【０００８】
第４の発明は、第１乃至第３の発明において、前記配管に水を流すための前記開閉弁は、浴槽の湯張りをする配管や、給湯用配管に設けられた開閉弁であることを特徴とする。
【０００９】
第５の発明は、第１乃至第３の発明において、前記配管に水が流れたことを検出する前記検出センサは、浴槽の湯張りをする配管や、給湯用配管に備え付けられた流量センサであることを特徴とする。
【００１０】
第６の発明は、第１乃至第３の発明において、前記操作手段は水張り開始スイッチであることを特徴とする。
【００１１】
第７の発明は、第１乃至第３の発明において、前記操作手段は電源投入スイッチであることを特徴とする。
【００１２】
第８の発明は、第１乃至第３の発明において、前記貯湯タンク内の水張り中にこの貯湯タンクに接続されている配管のエア抜きをその配管上に接続されているポンプを動作させるように前記制御装置が制御することを特徴とする。
【００１３】
第９の発明は、第１乃至第３の発明において、前記操作手段が操作されて水張りが開始された際に、前記貯湯タンクへの市水による水の供給の有無を判断するための判断手段を設けたことを特徴とする。
【発明の効果】
【００１４】
本発明によれば、貯湯タンク内の水張り作業を自動的に行なうことにより、施工者の作業の負担や拘束時間等を軽減すると共に、施工者のスキルによる施工ミス等を軽減することができる。
【発明を実施するための最良の形態】
【００１５】
以下、本発明の実施の形態を図面に基づき説明する。図１は貯湯式温水器としてのヒートポンプ式給湯装置の全体システムを示す系統図である。図１において、Ａはヒートポンプユニット、Ｂはタンクユニット、Ｃは貯湯用の温水循環路、Ｒは前記ヒートポンプユニットＡに内蔵された冷媒回路である。この冷媒回路Ｒにおいて、ＨＦＣやＣＯ２等の冷媒を用いることができるが、本実施形態ではＣＯ２を用いる。
【００１６】
前記冷媒回路Ｒは、ＣＯ２冷媒を吸入圧縮し高温高圧にする能力調整が可能な２段圧縮式の圧縮機１と、冷媒と水とを熱交換させる貯湯用の水冷媒熱交換器２の冷媒流路２Ａと、外気と冷媒との熱交換を行う空気熱交換器３と、アキュムレータ４とが順次環状に配管接続されている。５は送風機で、空気熱交換器３に空気を送風して熱交換を行なう。
【００１７】
前記温水循環路Ｃは、水冷媒熱交換器２の水流路２Ｂと貯湯タンク８とが循環ポンプ９を介して環状に接続されている。１０は水冷媒熱交換器２の水流路２Ｂから流出した温水温度を検知するサーミスタである。
【００１８】
前記貯湯タンク８の上部と中間部の間には、水々熱交換器１１の一次流路１１Ａと追焚用の循環ポンプ１２とが接続されている。また、水々熱交換器１１の二次流路１１Ｂには循環ポンプ１３を介して浴槽１４が接続されている。１５は貯湯タンク８内の高温水と水道圧減圧弁１９及び逆止弁２０を介する給水管２１からの低温の水道水とを混合して３６℃〜４８℃の温水とする第１混合弁で、給湯管１６を介して蛇口１７を開くことにより台所等への給湯を可能とする。２３Ｂは流量センサで、第１混合弁１５と蛇口１７との間の給湯管１６に設けられる。
【００１９】
１８は第２混合弁で、同じく水道圧減圧弁１９及び逆止弁２０を介する給水管２１からの水道水と前記貯湯タンク８からの高温水とを混合して約４２℃程度の温水とする。そして、前記第２混合弁１８で作られた温水は開閉弁である開閉弁２４、２５が開くことにより水々熱交換器１１の二次流路１１Ｂや、停止している前記循環ポンプ１３を介して浴槽１４のお湯張り動作がなされることとなる。このときの温水の流れる流量を流量センサ２３Ａが検出し、所望量のお湯張り動作が行われるように制御装置Ｓ１で制御される。即ち、流量センサ２３Ａから所定量が流れたことを検出した検出信号を受けた制御装置Ｓ１は、前記開閉弁２４、２５を閉じるように制御する。
【００２０】
なお、前記貯湯タンク８の容量は例えば３７０リットルであり、この貯湯タンク８には湯温検出センサＴ１、Ｔ２、Ｔ３、Ｔ４、Ｔ５、Ｔ６及びＴ７が貯湯タンク８の下部から上部まで間隔を存して設けられ、前記各検出センサの検出湯温によって貯湯タンク８内の残湯量をプリント基板Ｐ１に搭載されたマイクロコンピュータなどから成る制御装置Ｓ１が判断する。このとき、検出センサＴ１の配置箇所は残湯量が３５０リットル、Ｔ２が同じく３００リットル、Ｔ３が２５０リットル、Ｔ４が２００リットル、Ｔ５が１５０リットル、Ｔ６が１００リットル、Ｔ７が５０リットルの位置である。また、２６は前記循環ポンプ９の出口近くの湯温を検出する湯温検出センサである。
【００２１】
そして、消費者は電力会社と時間帯別電灯契約を結んで、料金の安い深夜時間帯では所定の時刻に貯湯量から沸き上げ量、そして全量沸き上げに必要な時間を算出し、沸き上げ終了時刻より前記必要な時間を考慮して逆算した時刻から貯湯運転を開始し、全量沸き上げ終了（湯温検出センサ２６の検出温度が５５℃以上）次第停止するように制御装置Ｓ１により制御されると共に、それ以外の時間帯では残湯量が１００リットルを割ったら貯湯運転を開始し、１５０リットル以上になったらこの貯湯運転を停止するように制御装置Ｓ１が制御する。
【００２２】
２７は貯湯タンク８上部に接続されたオーバーフロー管で、水が高温になると体積が膨張して水回路内の水圧が上昇するのでこの堆積膨張分をオーバーフロー水として装置外（タンクユニットＢ外）に排出する過圧力逃がし弁２８が設けられている。
【００２３】
なお、給水管２１の途中に配設された水道圧減圧弁１９は、水道水の給水圧が１７０ｋＰａ（約１．７ｋｇｆ／ｃｍ２）に設定されて、過圧力逃がし弁２８は１９０ｋＰａ（約１．９ｋｇｆ／ｃｍ２）で開くように設定されており、給水圧が十分にある場合には、通常は貯湯タンク８の内圧は１７０ｋＰａ、圧力が上昇しても常に１９０ｋＰａ以下に保たれる。
【００２４】
なお、過圧力逃がし弁２８を手動で開けることにより、貯湯タンク８への初期の水張り（過圧力逃がし弁２８より空気の排出）や、貯湯タンク８からの水抜き（過圧力逃がし弁２８より空気の吸入）が可能である。
【００２５】
そして、ヒートポンプユニットＡにはマイクロコンピュータ等から成る制御装置Ｓ２が搭載されたプリント基板Ｐ２が設けられ、タンクユニットＢにはマイクロコンピュータ等から成る制御装置Ｓ１が搭載されたプリント基板Ｐ１が設けられている。また、前記プリント基板Ｐ１には初期水張り中表示、正常終了表示及び異常表示のための表示装置３０や貯湯タンク８内に水を充填する水張りを開始するための操作手段である水充填開始スイッチ３１が搭載され、これらは前記制御装置Ｓ１に接続されている。更に、この制御装置Ｓ１は電源投入スイッチ３３、電源線３２を介して商用電源に接続可能である。
【００２６】
また、プリント基板Ｐ１とＰ２（制御装置Ｓ１とＳ２）とは、電源線３５及び制御信号線３６を介して接続されている。この制御装置Ｓ１、Ｓ２は、お風呂場に設けられた風呂リモートコントローラ（以下、「風呂リモコン」という）３７、例えば台所に設けられたメインリモートコントローラ（以下、「メインリモコン」という）３８などからの運転信号や、湯温検出センサ２６の温度信号とに応じて、圧縮機１の運転と周波数制御、循環ポンプ９、１２、１３の運転制御などを行うものであり、以下その動作を説明するが、特に制御装置Ｓ１が貯湯タンク８内の水張りに係る制御を行なうものである。
【００２７】
〈水張り動作〉
先ず、図３の制御フローチャートに基づいて、貯湯タンク８の水張りについて説明する。初めに、第２混合弁１８は、開閉弁２４、２５を介して流れる温水の流量が貯湯タンク８上部から流れる温水の流量と極力同じになるように設定されてある。即ち、本来、この第２混合弁１８は、貯湯タンク８内の約８０℃のお湯と水道圧減圧弁１９及び逆止弁２０を介する給水管２１からの水道水とを混合して作られる温水の温度が、風呂リモコン３７やメインリモコン３８で設定された湯温になるように設けられたものであるが、貯湯タンク８内に水張りする際には、貯湯タンク８上部から流れる経路を極力開くようにすると共に給水管２１を介する水道水の経路をなるべく閉止するようにこの第２混合弁１８はその開度が設定されてある。
【００２８】
従って、水充填開始スイッチ３１を押圧操作すると、制御装置Ｓ１は表示部３０に初期水張りを開始した旨の初期水張り中表示を表示するように制御し、また第２混合弁１８を貯湯タンク８上部から流れる経路を極力開くようにすると共に給水管２１を介する水道水の経路をなるべく閉止するように設定された開度となるように制御し、更に開閉弁２４、２５を開くように制御する。
【００２９】
これにより、ほとんど貯湯タンク８上部からの水が第２混合弁１８、水々熱交換器１１の二次流路１１Ｂを介して浴槽１４に供給されると共に、同じく第２混合弁１８、停止している循環ポンプ１３を介して浴槽１４に供給される。従って、貯湯タンク８から第２混合弁１８、水々熱交換器１１の二次流路１１Ｂ又は循環ポンプ１３を経て、浴槽１４までが通管されたことになる。
【００３０】
これは、従来の過圧力逃がし弁２８のコックを開いて、貯湯タンク８内を含めたシステムの圧力を大気開放したのとほぼ同じ状態となり、水道圧減圧弁１９によって設定された水道圧によって貯湯タンク８内のエア（空気）が押し出されて、上記の通管経路を通じて浴槽１４内に放出されることとなる。そして、水道圧減圧弁１９及び逆止弁２０を介する給水管２１からの低温の水道水が貯湯タンク８に充填されると、今度は水が上記経路を通じて浴槽１４に放出される。
【００３１】
このとき、水充填開始スイッチ３１の押圧操作後、タイマ２９が一定時間、例えば１時間を計時する前に、流量センサ２３Ａにて水がある一定水量流れていることが検出されると、制御装置Ｓ１は貯湯タンク８上部まで水が充填されたとして開閉弁２４及び２５を閉止するように制御すると共に初期水張りが正常終了した旨を表示部３０に表示するよう制御する。これにより、従来施工者が過圧力逃がし弁２８のコックを開いて行なっていた一連の貯湯タンク８内の水張り作業を、施工者の手を煩わせずに自動的に遂行することができる。
【００３２】
そして、前記水充填開始スイッチ３１の押圧操作により計時を開始したタイマ２９が前記一定時間を計時しても、流量センサ２３Ａにて一定水量流れていることが検出されない場合には、制御装置Ｓ１は前記開閉弁２４及び２５を閉止するように制御すると共に初期水張りが異常である旨を表示部３０に表示するよう制御する。この場合は、水道水の給水管２１を介する水張り供給路中における、例えばタンクユニットＢの前（上流）に配設されているコックを開くのを忘れているなどの原因が考えられる。
【００３３】
なお、この貯湯タンク８内の自動初期水張り制御は、前記水充填開始スイッチ３１を押圧操作することにより行うようにしたが、これに限らず、風呂リモコン３７やメインリモコン３８などに設けられる操作スイッチでもよい。更には、開始スイッチなどを押圧操作するのではなく、電源投入直後に自動的に行ってもよい即ち、制御装置Ｓ１が電源の投入を検出した場合に、貯湯タンク８内の自動初期水張り制御を行なうもので、例えば電源投入スイッチ３３が閉成されたことを検出すると、そのように制御する。
【００３４】
また、水張りにおける初期水張り中表示、正常終了表示及び異常表示のための表示装置３０をタンクユニットＢに設けられたプリント基板Ｐ１に搭載したが、これに限らず、風呂リモコン３７やメインリモコン３８などに設けてもよい。
【００３５】
なお、水張りの異常を検出する他の方法として、図４の制御フローチャートに示すような初期流水チェック方法がある。即ち、市水がもともと止まっているときなど、いくら時間を経過しても貯湯タンク８には給水管２１を介して水道水が供給されないので、前述したような初期水張りが始まるのと同時にまず、市水からの水の供給があるかどうかのチェックができれば、初期水張りの異常を検出する時間を待たなくとも異常検出ができ、また異常要因の特定もできる。例えば、水充填開始スイッチ３１の押圧操作による初期水張り開始と同時に、第２混合弁１８を水道圧減圧弁１９及び逆止弁２０を介する給水管２１からの低温の水道水が多く流れるように設定し、開閉弁２４、２５を開くように制御装置Ｓ１が制御する。
【００３６】
このとき、市水からの水の供給があれば、水道水は減圧弁１９→逆止弁２０→第２混合弁１８→開閉弁２４、２５→水々熱交換器１１の二次流路１１Ｂ→浴槽１４に供給され、流量センサ２３Ａによって水の流量を検知する。即ち、水充填開始スイッチ３１の押圧操作後、タイマ２９Ａが一定時間を計時する前に、流量センサ２３Ａにて水がある一定水量流れていることが検出されると、制御装置Ｓ１は貯湯タンク８上部まで水が充填されたとして開閉弁２４及び２５を閉止するように制御すると共に初期流水チェックが正常である旨を表示部３０に表示するよう制御する。
【００３７】
また、前記水充填開始スイッチ３１の押圧操作により計時を開始したタイマ２９Ａが前記一定時間を計時しても、流量センサ２３Ａにて一定水量流れていることが検出されない場合には、制御装置Ｓ１は前記開閉弁２４及び２５を閉止するように制御すると共に初期流水チェックが異常である旨を表示部３０に表示するよう制御する。
【００３８】
なお、加熱源がヒートポンプユニットＡであり、貯湯タンク８が内蔵されているタンクユニットＢと別になっているものは、タンクユニットＢとヒートポンプユニットＡとを接続するための配管が必要であり、この配管内のエアを放出するために、前述したような貯湯タンク８内の自動初期水張り制御中に循環ポンプ９を間欠又は連続運転することにより前記温水循環路Ｃを水封する制御を行ってもよい。また、タンクユニットＢ内の水々熱交換器１１の一次流路１１Ａと追焚用の循環ポンプ１２とを介在させた前記貯湯タンク８の上部と中間部の間の接続回路を水封するのも同様に、前記循環ポンプ９を前記自動初期水張り制御中に間欠又は連続運転して行ってもよい。これにより、タンクユニットＢとヒートポンプユニットＡとを接続するための配管内のエアを放出することができる。
【００３９】
〈貯湯運転〉
次に、貯湯運転について、説明する。料金の安い深夜時間帯では所定の時刻に貯湯量から沸き上げ量、そして全量沸き上げに必要な時間を算出し、沸き上げ終了時刻より前記必要な時間を考慮して逆算した時刻から貯湯運転が開始される。また、それ以外の時間帯では残湯量が１００リットルを割ったら、即ち検出センサＴ６が湯温５５℃未満を検出した場合には、貯湯運転が開始される。
【００４０】
即ち、前記検出センサからの検出出力に基づいて、貯湯タンク８に貯湯が行なわれ、制御装置Ｓ１は循環ポンプ９を運転させ、温水循環路Ｃでは、貯湯タンク８→循環ポンプ９→水冷媒熱交換器２の水流路２Ｂ→貯湯タンク８の順に給湯用の温水が流れ、貯湯タンク８に貯湯される。
【００４１】
ヒートポンプユニットＡでは制御装置Ｓ１により圧縮機１が運転し、冷媒回路Ｒでは、圧縮機１→水冷媒熱交換器２の冷媒流路２Ａ→空気熱交換器３→アキュムレータ４→圧縮機１の順に冷媒が流れる。
【００４２】
〈給湯動作、お湯張り動作及び追焚動作〉
貯湯タンク８に貯湯された高温水は水道圧減圧弁１９及び逆止弁２０を介する給水管２１からの低温の水道水と第１混合弁１５に混合されて、３６℃〜４８℃の温水とされて給湯管１６を介して蛇口１７を開くことにより台所等へ給湯される。この給湯が行われた際に給水管２１から貯湯タンク８下部に給水が行われる。
【００４３】
また、貯湯タンク８からの高温水と水道圧減圧弁１９及び逆止弁２０を介する給水管２１からの水道水とが第２混合弁１８にて混合され、約４２℃程度とされた温水は、開閉弁２４、２５が開くことにより、停止している循環ポンプ１３を介して又は循環ポンプ１３を介さずに水々熱交換器１１の二次流路１１Ｂを介して浴槽１４のお湯張り動作がなされることとなる。即ち、このときの温水の流れる流量を流量センサ２３Ａが検出し、この流量センサ２３Ａから所定量が流れたことを検出した検出信号を受けた制御装置Ｓ１は、前記開閉弁２４、２５を閉じるように制御する。
【００４４】
また、制御装置Ｓ１は循環ポンプ１２、１３を運転することにより、貯湯タンク８の高温水と浴槽１４の温水を水々熱交換器１１で熱交換し、浴槽１４の温水の追焚きを行うこともできる。
【００４５】
そして、前記深夜時間帯では全量沸き上げが終了した場合（湯温検出センサ２６が５５℃以上を検出した場合）、またそれ以外の時間帯では残湯量が１５０リットル以上となったら、即ち検出センサＴ５が５５℃以上を検出した場合には、貯湯運転が停止されるように制御装置Ｓ１及びＳ２が制御する。
【００４６】
なお、以上の貯湯タンク８内の自動初期水張り制御は、本来は浴槽１４にお湯張りをする配管経路に備え付けられた第２混合弁１８、流量センサ２３Ａ、開閉弁２４、２５を利用したものである。次に、浴槽１４にお湯張りをする機能を有していない給湯専用機のような場合、図５に示すように給湯配管系路上、即ち第１混合弁１５と蛇口１７との間において、給湯管１６から分岐した配管４０を設け、この配管４０途中に貯湯タンク８内の初期水張り制御専用の開閉弁４１を設けて、開閉弁２４、２５と同等の動作をさせ、流量センサ２３Ａの代わりに流量センサ２３Ｂを設けても良い。
【００４７】
これにより、水充填開始スイッチ３１を押圧操作すると、制御装置Ｓ１は第１混合弁１５を貯湯タンク８上部から流れる経路を極力開くようにすると共に給水管２１を介する水道水の経路をなるべく閉止するように設定された開度となるように制御し、更に開閉弁４１を開くように制御する。従って、ほとんど貯湯タンク８上部からの水が第２混合弁１８、開閉弁４１を介してタンクユニットＢ外へ排出され通管されたことになる。
【００４８】
これは、従来の過圧力逃がし弁２８のコックを開いて、貯湯タンク８内の圧力を大気開放したのとほぼ同じ状態となり、水道圧減圧弁１９によって設定された水道圧によって貯湯タンク８内のエア（空気）が押し出されて、上記の通管経路を通じてタンクユニットＢ外へ放出されることとなる。そして、水道圧減圧弁１９及び逆止弁２０を介する給水管２１からの低温の水道水が貯湯タンク８に充填されると、今度は水が上記通管経路を通じてタンクユニットＢ外へ放出される。
【００４９】
このとき、水充填開始スイッチ３１の押圧操作後、タイマ２９が一定時間、例えば１時間を計時する前に、流量センサ２３Ｂにて水がある一定水量流れていることが検出されると、制御装置Ｓ１は貯湯タンク８上部まで水が充填されたとして開閉弁４１を閉止するように制御すると共に初期水張りが正常終了した旨を表示部３０に表示するよう制御する。
【００５０】
次に、浴槽１４にお湯張りをする機能があるものでも、浴槽１４までの配管経路を利用するのではなく、図５に示すように、流量センサ２３Ａと開閉弁２４との間に配管５０を接続し、この配管５０途中に貯湯タンク８内の初期水張り制御専用の開閉弁５１を設けて、前記開閉弁２４、２５と同等の動作をさせる。
【００５１】
これにより、水充填開始スイッチ３１を押圧操作すると、制御装置Ｓ１は第２混合弁１８を貯湯タンク８上部から流れる経路を極力開くようにすると共に給水管２１を介する水道水の経路をなるべく閉止するように設定された開度となるように制御し、更に開閉弁５１を開くように制御する。従って、ほとんど貯湯タンク８上部からの水が第２混合弁１８、開閉弁５１を介してタンクユニットＢ外へ排出され通管されたことになる。
【００５２】
これは、従来の過圧力逃がし弁２８のコックを開いて、貯湯タンク８内の圧力を大気開放したのとほぼ同じ状態となり、水道圧減圧弁１９によって設定された水道圧によって貯湯タンク８内のエア（空気）が押し出されて、上記の通管経路を通じてタンクユニットＢ外へ放出されることとなる。そして、水道圧減圧弁１９及び逆止弁２０を介する給水管２１からの低温の水道水が貯湯タンク８に充填されると、今度は水が上記通管経路を通じてタンクユニットＢ外へ放出される。
【００５３】
このとき、水充填開始スイッチ３１の押圧操作後、タイマ２９が一定時間、例えば１時間を計時する前に、流量センサ２３Ａにて水がある一定水量流れていることが検出されると、制御装置Ｓ１は貯湯タンク８上部まで水が充填されたとして開閉弁５１を閉止するように制御すると共に初期水張りが正常終了した旨を表示部３０に表示するよう制御する。
【００５４】
更に、図５に示すように、貯湯タンク８上部と過圧圧力逃し弁２８との間において、オーバーフロー管２７から分岐した配管６０を設け、この配管６０途中に貯湯タンク８内の初期水張り制御専用の開閉弁６１を設けて、前記開閉弁２４、２５と同等の動作をさせ、流量センサ２３Ａや２３Ｂの代わりに流量センサ２３Ｃを設けても良い。
【００５５】
これにより、水充填開始スイッチ３１を押圧操作すると、制御装置Ｓ１は開閉弁６１を開くように制御する。従って、貯湯タンク８上部からの水が開閉弁６１を介してタンクユニットＢ外へ排出され通管されたことになる。
【００５６】
これは、従来の過圧力逃がし弁２８のコックを開いて、貯湯タンク８内の圧力を大気開放したのとほぼ同じ状態となり、水道圧減圧弁１９によって設定された水道圧によって貯湯タンク８内のエア（空気）が押し出されて、上記の通管経路を通じてタンクユニットＢ外へ放出されることとなる。そして、水道圧減圧弁１９及び逆止弁２０を介する給水管２１からの低温の水道水が貯湯タンク８に充填されると、今度は水が上記通管経路を通じてタンクユニットＢ外へ放出される。
【００５７】
このとき、水充填開始スイッチ３１の押圧操作後、タイマ２９が一定時間、例えば１時間を計時する前に、流量センサ２３Ｃにて水がある一定水量流れていることが検出されると、制御装置Ｓ１は貯湯タンク８上部まで水が充填されたとして開閉弁６１を閉止するように制御すると共に初期水張りが正常終了した旨を表示部３０に表示するよう制御する。
【００５８】
なお、以上の複数の実施形態の説明の中で、水が流れたことを検出する手段として、流量センサを例に挙げているが、水が流れたことを検知するものであれば流水検出スイッチを用いてもよく、また例えば温度検出用のサーミスタを用いて水が流れているときと流れていないときの温度差により検知してもよい。また、サーミスタにより水を検知する方法と流量センサや流水検出スイッチなどの値の変化の組み合わせにより、さら確実な流水検知を行ってもよい。
【００５９】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００６０】
【図１】ヒートポンプ式給湯装置の全体系統図である。
【図２】制御ブロック図である。
【図３】制御フローチャートを示す図である。
【図４】他の実施形態に係る制御フローチャートを示す図である。
【図５】他の実施形態を示すヒートポンプ式給湯装置の全体系統図である。
【符号の説明】
【００６１】
８              貯湯タンク
１４            浴槽
１８            第２混合弁
２１            給水管
２３Ａ、Ｂ、Ｃ  流量センサ
２４、２５      開閉弁
２９            タイマ
３１            水充填開始スイッチ
Ａ              ヒートポンプユニット
Ｂ              タンクユニット
Ｃ              温水循環路
Ｒ              冷媒回路
Ｓ１            制御装置
【図１】
2006145048.tif 000003
【図２】
2006145048.tif 000004
【図３】
2006145048.tif 000005
【図４】
2006145048.tif 000006
【図５】
2006145048.tif 000007